(57)【要約】【課題】携帯用でありながら、乾燥機能を保有するようにして、外出先や任意の場所においても納得できる化粧直しが可能な化粧用鏡を提供する。【解決手段】厚みの薄い箱状をなす本体２と、本体上に配置した鏡面４と、本体の一端縁にヒンジ５により回動可能に設けた鏡の表面を覆う蓋カバー３と、前記本体の内部空間に配設したファン６およびダクト８と、ダクトの下流側に設けた送風部９とからなり、鏡面の上方の吹出口９ｂから風を吹き出すとともにファンを駆動するスイッチ部12を本体の側壁部に配置したことを特徴とする。【選択図】  図１
2004201709.tif 000002
【特許請求の範囲】
【請求項１】
厚みの薄い箱状をなす本体と、本体上に配置した鏡面と、本体の一端縁にヒンジにより回動可能に設けた鏡の表面を覆う蓋カバーと、前記本体の内部空間に配設したファンおよびダクトと、ダクトの下流側に設けた送風部とからなり、鏡面の上方の吹出口から風を吹き出すとともにファンを駆動するスイッチ部を本体の側壁部に配置したことを特徴とする化粧用鏡。
【請求項２】
送風部は、本体から突出する蓋カバーとのヒンジ部間に介在させて円筒状をなし、円筒状面にダクトと連通する吹出口を形成するとともに、回動可能として吹出口の方向を可変にしたことを特徴とする請求項１記載の化粧用鏡。
【請求項３】
送風部内にヒータコイルを内蔵してファンの回転により温風を吹出口から吹き出すようにしたことを特徴とする請求項１または２記載の化粧用鏡。
【請求項４】
本体の上面に凹部を形成して化粧用パフ、パウダーを配置するとともに、その上部に鏡面を有する中板をヒンジ部を介して回動可能に設けたことを特徴とする請求項１乃至３のいずれかに記載の化粧用鏡。
【発明の詳細な説明】
【０００１】
【発明の属する技術分野】
本発明は、化粧用鏡の改良に係り、特に化粧後の乾燥を促進して短時間で良好な化粧ができるようにした携帯用の鏡に関する。
【０００２】
【従来の技術】
近年、化粧および化粧直しの際に、化粧品の中でも特にマスカラを付ける女性が増加している。しかしながら、マスカラは、まつげに塗った後も乾きが遅いため、不用意な接触により瞼などに乾燥前のマスカラが付着し汚れることがある。また、まつげをカールさせた後にマスカラを塗ると、カールがとれてしまうなどの欠点があるため、改良が求められていた。
【０００３】
これに対して、家庭における鏡台にドライヤーを付けて髪を整えるときに使用するようにしたもの（例えば、特許文献１参照。）が提案されており、ドライヤーによって整髪時間を早めることができるが、化粧用ではなく、また、携帯用でもないため、外出先での化粧には供しえなかった。
【０００４】
また、携帯用である化粧用鏡やコンパクトについては、種々の機能を付加したものが提案されており、例えば、暗いところでも化粧直しをしたり、自分の顔を確認することができるように、コンパクトに照明具を設けたもの（特許文献２参照）や、化粧料やパフが収納される容器本体に対して、蓋体に液晶表示パネルを設けて顔を画像表示し、通常のコンパクトとして使用するだけでなく、必要により、時計、計算機、電子手帳として利用したり、あるいは、ラジオや携帯電話を設けるようにしたもの（特許文献３参照）が出願公開されている。
【０００５】
【特許文献１】
実開平６−５５３７号公報
【０００６】
【特許文献２】
特開２００２−２６２９３７公報
【０００７】
【特許文献３】
特開平９−２１５５２０号公報
【０００８】
【発明が解決しようとする課題】
しかしながら、前記特許文献２や３ほかの化粧用鏡やコンパクトにおいても、乾燥機能を有するものは提示されておらず、外出先での化粧直しに対しては依然として課題が残されていた。
【０００９】
本発明は、以上の点を考慮してなされたものであり、携帯用でありながら、乾燥機能を保有するようにして、外出先や任意の場所においても納得できる化粧直しが可能な化粧用鏡を提供するものである。
【００１０】
【課題を解決するための手段】
上記課題を解決するため、請求項１記載の化粧鏡は、厚みの薄い箱状をなす本体と、本体上に配置した鏡面と、本体の一端縁にヒンジにより回動可能に設けた鏡の表面を覆う蓋カバーと、前記本体の内部空間に配設したファンおよびダクトと、ダクトの下流側に設けた送風部とからなり、鏡面の上方の吹出口から風を吹き出すとともにファンを駆動するスイッチ部を本体の側壁部に配置したことを特徴とするものである。
【００１１】
この構成によれば、外出先においても、マスカラなどの乾きが遅い化粧品を使った場合であっても、すみやかにこれを乾かすことができ、また、乾くと固まる化粧品については、乾かしながらまつげを上向きにして固めることができるなど、化粧映えをよくすることができる。
【００１２】
請求項２記載の発明における送風部は、本体から突出する蓋カバーとのヒンジ部間に介在させて円筒状をなし、円筒状面にダクトと連通する吹出口を形成するとともに、回動可能として吹出口の方向を可変にしたことを特徴とするものであり、この構成によれば、鏡を持ったままの姿勢で鏡を見ながら、送風とともに化粧部位に合わせて風の方向を変えることができる。
【００１３】
請求項３記載の発明は、送風部内にヒータコイルを内蔵してファンの回転により温風を吹出口から吹き出すようにしたことを特徴とし、冬季など寒冷地においても冷風による不快感なく化粧することができる。
【００１４】
請求項４記載の発明は、本体の上面に凹部を形成して化粧用パフ、パウダーを配置するとともに、その上部に鏡面を有する中板をヒンジ部を介して回動可能に設けたことを特徴とするものであり、コンパクト型でも送風により手早くきれいに化粧することができる。
【００１５】
【発明の実施の形態】
以下、図面に基づき本発明の一実施形態について説明する。図１は、化粧用鏡（１）の蓋カバー（３）を拡げた状態の全体構成を示す斜視図であり、厚みの薄い箱状を成す樹脂成形品の本体（２）の内表面には、鏡面（４）を配設し、本体（２）の一端縁には鏡（４）の表面を覆う蓋カバー（３）をヒンジ（５）により開閉自在に設けている。
【００１６】
しかして、前記本体（２）の内部空間には、蓋カバー（３）を開いて一部を破断した状態の平面図である図２、および蓋カバーを閉じた状態の一部を破断した側面図である図３に示すように、薄型で円盤状の遠心ファン（６）および本体の他端側に開口する吸込口（７）を設けた渦巻き状ダクト（８）を配設しており、ダクト（８）の下流側は前記ヒンジ（５）の機構部分に延設されている。
【００１７】
そして、ファン（６）を回転させた際は、吸込口（７）から外気を吸込むとともに、ファン（６）により遠心方向に加速し、ダクト（８）に沿ってヒンジ（５）の部分の間に設けた送風部（９）から外部に風を吹き出すようにしている。
【００１８】
前記ヒンジ（５）は、本体（２）から突出する円筒状の送風部（９）を間に形成したヒンジ部（５ａ）と蓋カバー（３）の両端から本体側に延設したヒンジ受け（５ｂ）とからなり、送風部（９）は円筒状部の表面に前記ダクト（８）側の開口（９ａ）と鏡面（４）の上方側に連通して開口する吹出口（９ｂ）を設けて、前記ヒンジ部（５ａ）やヒンジ受け（５ｂ）とは独立して回動可能に設けるとともに、送風部（９）の表面にはローレット加工を施した凹凸の回転調節部（９ｃ）を形成している。
【００１９】
（10）は遠心ファン（６）を駆動するための単４の電池であり、本体（２）の側部に形成した挿入口（11）から１本、あるいは必要に応じて２本挿入設置するようにし、本体側部に設けたスイッチ釦（12）の押圧により通電して、遠心ファン（６）を回転駆動するよう構成している。
【００２０】
しかして、この化粧用鏡（１）を使用する場合は、通常は蓋カバー（３）を開いて鏡面（４）を出し化粧に供すればよいが、まつげにマスカラを塗りながら早く乾かしたいような場合には、スイッチ釦（12）を押圧することでファン（６）を駆動して吹出口（９ｂ）から風を吹き出し、まつげ部分に当てることで乾燥を早めるものである。
【００２１】
このとき、送風部（９）の回転調整部（９ｃ）に手指を当てて回動することにより、吹出口（９ｂ）の角度を適宜変更し、風の方向と鏡面角度を調整して、マスカラを塗布するものであるが、前記スイッチ釦（12）や送風部（９）は、本体（２）の側面端部に配置していることから、スイッチ釦（12）の押圧や回転調整部（９ｃ）の回動動作は、本体（２）を持ったままの片手の手指で操作できるため、煩わしくなく便利である。
【００２２】
また、送風により乾燥させながら化粧できるので、マスカラのように乾くと固まる化粧品については、乾かしながらまつげを上向きにして固めることができ、化粧映えをよくすることができる。
【００２３】
上記構成の他、寒冷地を考慮した場合は、送風部（９）の円筒空間内におけるダクト側の開口（９ａ）と鏡面側の吹出口（９ｂ）との間にヒーター（13）を配置して、わずかに加温した適当温度の温風を吹出口（９ｂ）から吹き出すようにしてもよい。
【００２４】
また、ファン（６）の回転速度を変更して風力を変化できるようにしてもよく、その場合は、前記スイッチ釦（12）を複数段に切り換えるようにすればよいものであり、その際、ヒーター（13）のオンオフ切換え釦もスイッチ釦（12）部に併置すればよい。
【００２５】
上記においては、化粧用鏡の実施形態について説明したが、本発明はこれに限るものではなく、化粧コンパクトに適用してもよい。例えば、蓋カバー（23）を拡げた状態である図４に示すように、上記と同様の厚みの薄い箱状を成す樹脂成形品の本体（22）の内表面には、皿状凹部（33）を設けて化粧用パウダーと化粧用パフの収納部（33ａ）（33ｂ）し、本体（22）の一端縁には両面に鏡面（24）を配置した中板（34）をヒンジ（25ｃ）により回動自在に設けている。蓋カバー（23）はさらに中板（34）の上面を覆うように回動可能に設けてコンパクト（21）を構成する。
【００２６】
そして、前記本体（22）の皿状凹部（33）の底面内部空間には、図示しないが、前記実施例と同様に、薄型円盤状の遠心ファンおよびダクトを配設しており、ダクトの下流側は前記ヒンジ（25）部分に延設されている。
【００２７】
そして、ファンを回転させた際は、吸込口（27）から外気を吸込み、ファンによってダクトに沿い、ヒンジ（25）の部分の間に設けた送風部（29）から外部に風を吹き出すようにしている。
【００２８】
前記ヒンジ（25）は、本体から突出する円筒状の送風部（29）を間に形成した形成したヒンジ部（25ａ）と、鏡である中板（34）および蓋カバー（23）の両端から本体側に延設したヒンジ受け（25ｃ）（25ｂ）とからなり、送風部（29）は円筒状部の表面に前記ダクト側の開口と鏡面（24）の上方側に連通して開口する吹出口（29ｂ）を設けて回動可能に設けるとともに、送風部（29）の表面にはローレット加工を施した凹凸の回転調節部（29ｃ）を形成している。
【００２９】
遠心ファンを駆動するための電池（31）やスイッチ釦（32）は前記実施例と同様に配置する。
【００３０】
この化粧用コンパクト（21）を使用する場合は、通常は蓋カバー（23）とともに中板（24）を開いて鏡面（24）を上方に回動し、裏面に設けた鏡面を見て化粧用パウダーとパフにより化粧すればよいが、まつげにマスカラを塗りながら早く乾かしたいような場合には、中板（34）を本体（22）側に収めて鏡面（24）の上部にヒンジ部、すなわち吹出口（29ｂ）を位置させ、スイッチ釦（32）を押圧することでファンを駆動して吹出口（29ｂ）から風を吹き出し、まつげ部分に当てるようにすればよい。
【００３１】
上記により、まつげの下方から風が吹き出すことで眼に風が直接当たって違和感を覚えることもなく、マスカラを速やかに乾かすことができるものであり、また、スイッチ釦（32）の押圧動作や送風部（29）の回動動作は、前記と同様に、スイッチ釦（32）や送風部（29）が本体（22）の側面端部に配置されていることから、本体（22）を持ったままの片手の手指で操作することができる。
【００３２】
【発明の効果】
以上説明したように、本発明の化粧鏡によれば、外出先においても、マスカラなどの乾きが遅い化粧品を使った場合であっても、すみやかにこれを乾かすことができ、また、乾くと固まる化粧品については、乾かしながらまつげを上向きにして固めることができるなど、化粧映えをよくすることができる。
【図面の簡単な説明】
【図１】本発明の１実施形態を示す化粧鏡の斜視図である。
【図２】図１の化粧鏡の蓋カバーを拡げた状態の一部破断平面図である。
【図３】蓋カバーを閉じた状態を示す図２の一部破断した側面図である。
【図４】本発明の他の実施例を示すコンパクトの斜視図である。
【符号の説明】
１…化粧用鏡          ２、22…本体          ３、23…蓋カバー
４、24…鏡面          ５、25…ヒンジ      ５ａ、25ａ…ヒンジ部
５ｂ、25ｂ…ヒンジ受け          25ｃ…中板のヒンジ
６…ファン            ７、27…吸込口        ８…ダクト
９、29…送風部         ９ａ、29ａ…開口      ９ｂ、29ｂ…吹出口
９ｃ…回転調節部      10…電池              11、31…電池挿入口
12、32…スイッチ釦    13…ヒーター          33…皿状凹部
33ａ…パウダー収納部  33ｂ…パフ収納部      34…中板
【図１】
2004201709.tif 000003
【図２】
2004201709.tif 000004
【図３】
2004201709.tif 000005
【図４】
2004201709.tif 000006